【事件の表示】
　特許第２８７４６８７号「インクカートリッジおよびインクジェット記録装置」の請求項１ないし６に係る特許に対する特許異議の申立てについて、次のとおり決定する。
【結　論】
　訂正を認める。
　特許第２８７４６８７号の請求項１ないし６に係る特許を維持する。
【理　由】
［手続の経緯］
　本件特許第２８７４６８７号の請求項１〜６に係る発明の出願は、平成９年３月２７日に特許出願され、平成１１年１月１４日にその特許の設定登録がなされ、その後、その特許について亀山忠義より特許異議の申立がなされ、当審において取消理由通知がなされたところ、その指定期間内である平成１２年６月５日に訂正請求がなされ、さらに、当審において訂正拒絶理由通知を兼ねた再度の取消理由通知がなされたところ、その指定期間内である平成１２年９月１４日に前記平成１２年６月５日付け訂正請求が取り下げられると共に再度の訂正請求がなされたものである。
　　　　　
　　　　　
［訂正の適否についての判断］
【１】訂正の内容
（１）訂正事項ａ・・・特許請求の範囲の請求項１を、
　「【請求項１】インクタンクと、前記インクタンクに取り付けられインクを噴出するインク噴出口と、前記インク噴出口の周囲において前記インクタンクに密着し、インク噴出口に対応する位置に開口部を有するカバーと、前記カバーと前記インクタンクの間にスライド自在に保持され前記開口部を開閉する保護キャップとを有し、前記カバーは前記保護キャップが閉じたとき前記開口部に前記保護キャップの端部があたる部分に気密性保持のためのラバーを有し、前記保護キャップは前記端部に鋭部を有し、前記カバー及び前記保護キャップは、前記保護キャップが閉じたとき前記保護キャップと前記カバーとをロックする第１及び第２のロック部を有し、前記保護キャップが閉じたとき前記ラバーに前記鋭部が食い込んでインク噴出口が密閉されることを特徴とするインクカートリッジ。」と訂正する。
（２）訂正事項ｂ・・・特許請求の範囲の請求項２を、
　「【請求項２】インクタンクと、前記インクタンクに取り付けられインクを噴出するインク噴出口と、前記インク噴出口の周囲において前記インクタンクに密着し、インク噴出口に対応する位置に開口部を有するカバーと、前記カバーと前記インクタンクの間にスライド自在に保持され前記開口部を開閉する保護キャップとを有し、前記保護キャップが閉じたときは、インク噴出口が密閉され、インクジェット記録装置のインクカートリッジホルダに差し込まれて装着されるインクカートリッジにおいて、前記保護キャップと接して回転可能に保持され、前記インクカートリッジホルダへの着脱時の摩擦による回転により前記保護キャップをスライドして開閉するローラを有することを特徴とするインクカートリッジ。」と訂正する。
（３）訂正事項ｃ・・・特許請求の範囲の請求項３〜５を、
　「【請求項３】請求項１に記載のインクカートリッジが装着されるインクジェット記録装置において、前記インクカートリッジを装着する際に一方向に差し込むようにして装着させるアーム部材に設けられ装着状態において前記インクカートリッジの保護キャップと係合する係合部を有し、前記インクカートリッジを装着するとき、前記係合部が前記保護キャップと係合して前記保護キャップを固定することにより前記保護キャップを開き、かつ、前記インクカートリッジを取り外すとき、前記係合部が前記保護キャップと係合して前記保護キャップを固定することにより前記保護キャップを閉じて前記第１及び第２のロック部によってロックされるようにすることを特徴とするインクジェット記録装置。
　【請求項４】請求項１に記載のインクカートリッジが装着されるインクジェット記録装置において、前記インクカートリッジを装着する際に一方向に差し込むようにして装着させるアーム部材に設けられ、前記インクカートリッジを装着するとき前記インクカートリッジの前記保護キャップと係合して前記保護キャップを固定することにより前記保護キャップを開き、かつ、前記インクカートリッジを取り外すとき前記保護キャップと係合して前記保護キャップを固定することにより前記保護キャップを閉じて前記第１及び第２のロック部によってロックされるようにする係合部と、前記係合部を移動させ前記保護キャップを開閉する開閉駆動手段とを有することを特徴とするインクジェット記録装置。
　【請求項５】請求項１に記載のインクカートリッジが装着されるインクジェット記録装置において、前記インクカートリッジを装着する際に一方向に差し込むようにして装着させるアーム部材に設けられ、前記インクカートリッジを装着するとき前記インクカートリッジの前記保護キャップと係合して前記保護キャップを固定することにより前記保護キャップを開き、かつ、前記インクカートリッジを取り外すとき前記保護キャップと係合して前記保護キャップを固定することにより前記保護キャップを閉じて前記第１及び第２のロック部によってロックされるようにする係合部と、前記保護キャップが閉じる方向に前記係合部を押す弾性体と、前記係合部を前記保護キャップが開く方向、または、閉じる方向に移動させて保持し、または、前記係合部の移動をフリーにする開閉駆動手段と、印字データの受信及び印字処理状態を認識し前記開閉駆動手段を制御する制御手段とを有することを特徴とするインクジェット記録装置。」と訂正する。
（４）訂正事項ｄ・・・特許請求の範囲の請求項６を、
　「【請求項６】請求項１に記載のインクカートリッジが装着されるインクジェット記録装置において、前記インクカートリッジの前記保護キャップと係合する係合部と、前記保護キャップが閉じる方向に前記係合部を押す弾性体と、前記係合部を前記保護キャップが開く方向、または、閉じる方向に移動させて保持し、または、前記係合部の移動をフリーにする開閉駆動手段と、印字データの受信及び印字処理状態を認識し前記開閉駆動手段を制御する制御手段とを有するインクジェット記録装置において、前記制御手段は、印字処理後に印字データ受信中であるか、または印字処理後所定の時間経過前に印字データを受信した場合に、前記係合部を前記保護キャップが開く方向に移動させて保持し、印字処理後所定の時間以上印字データを受信していないとき、前記係合部の移動をフリーにするように開閉駆動手段を制御することを特徴とするインクジェット記録装置。」と訂正する。 
（５）訂正事項ｅ・・・特許明細書の発明の詳細な説明の段落【０００８】（特許掲載公報２頁４欄２〜１１行）を、
　「【０００８】【課題を解決するための手段】本発明のインクカートリッジ（図１の１）は、インク噴出口（図１の３）の周囲においてインクタンク（図１の８）に密着し、インク噴出口（図１の３）に対応する位置に開口部を有するカバー（図１の４）と、カバー（図１の４）とインクタンク（図１の８）の間にスライド自在に保持され開口部を開閉する保護キャップ（図１の２）とを有し、カバー（図１の４）は保護キャップ（図１の２）が閉じたとき開口部に保護キャップ（図１の２）の端部があたる部分に気密性保持のためのラバー（図１の６）を有し、保護キャップは端部に鋭部（図１の２ｂ）を有し、保護キャップ（図１の２）及びカバー（図１の４）は保護キャップ（図１の２）が閉じたとき保護キャップ（図１の２）とカバー（図１の４）とをロックする凸部（図１の４ａ）及び凹部（不図示）を有し、保護キャップ（図１の２）が閉じたときラバー（図１の６）に鋭部（図１の２ｂ）が食い込んでインク噴出口（図１の３）が密閉される。」と訂正する。
（６）訂正事項ｆ・・・特許明細書の発明の詳細な説明の段落【００１０】（特許掲載公報２頁４欄１６〜２５行）を、
　「【００１０】また、インクカートリッジ（図１の１）が装着されるインクジェット記録装置において、インクカートリッジ（図１の１）を装着する際に一方向に差し込むようにして装着させる下アーム（図１の１０）に設けられインクカートリッジ（図１の１）の保護キャップ（図１の２）と係合する保護キャップ押さえ（図３の１２）を有し、インクカートリッジ（図１の１）を装着するとき、保護キャップ押さえ（図３の１２）が保護キャップ（図１の２）と係合して保護キャップ（図１の２）を固定することにより保護キャップ（図１の２）を開き、かつ、インクカートリッジ（図１の１）を取り外すとき、保護キャップ押さえ（図３の１２）が保護キャップ（図１の２）と係合して保護キャップ（図１の２）を固定することにより保護キャップ（図１の２）を閉じて凸部（図１の４ａ）及び凹部（不図示）によってロックされるようにする。」と訂正する。
（７）訂正事項ｇ・・・特許明細書の発明の詳細な説明の段落【００１３】（特許掲載公報２頁４欄４１行〜３頁５欄１行）を、
　「【００１３】 また、インクジェット記録装置は、インクカートリッジ（図１の１）を装着する際に一方向に差し込むようにして装着させる下アーム（図１の１０）に設けられ、インクカートリッジ（図１の１）を装着するときインクカートリッジ（図１の１）の保護キャップ（図１の２）と係合して保護キャップ（図１の２）を固定することにより保護キャップ（図１の２）を開き、かつ、インクカートリッジ（図１の１）を取り外すとき保護キャップ（図１の２）と係合して保護キャップ（図１の２）を固定することにより保護キャップ（図１の２）を閉じて凸部（図１の４ａ）及び凹部（不図示）によってロックされるようにする保護キャップ押さえ（図３の１２）と、保護キャップが閉じる方向に保護キャップ押さえ（図３の１２）を押すバネ（図５の２７）と、保護キャップ押さえ（図３の１２）を保護キャップ（図１の２）が開く方向、または、閉じる方向に移動させて保持し、または、保護キャップ押さえ（図３の１２）の移動をフリーにするモータ（図８の２０）と、印字データの受信及び印字処理状態を認識しモータ（図８の２０）を制御する制御部（図９の３７）とを有する。」と訂正する。
　　　　　
【２】訂正の目的の適否、新規事項の有無および拡張・変更の存否
（１）訂正事項ａ〜ｄについて
　訂正事項ａについては、特許明細書の段落【００２６】【００２８】又は図１，２の記載の範囲内において、「カバー」と「保護キャップ」との密閉手段及びロック手段の構成を限定するものであり、また、訂正事項ｂについては、特許明細書の段落【００４１】【００４２】又は図５〜７の記載の範囲内において、「インクカートリッジ」を「インクジェット記録装置のインクカートリッジホルダに差し込まれて装着される」ように構成した「インクカートリッジ」に限定すると共に「ローラ」を「インクカートリッジホルダへの着脱時の摩擦による回転により保護キャップをスライドして開閉する」ように構成した「ローラ」に限定するものであり、また、訂正事項ｃ，ｄについては、特許明細書の段落【００３５】【００３６】【００５８】〜【００６０】又は図３，４，８，９の記載の範囲内において、「インクカートリッジ」、その「インクカートリッジ」が装着される「インクジェット記録装置」、及び、その「制御手段」の構成を限定するものであり、何れも、特許請求の範囲の減縮を目的とするものであって、新規事項の追加に該当せず、実質上特許請求の範囲を拡張し又は変更するものではない。
（２）訂正事項ｅ〜ｇについて
　訂正事項ｅ〜ｇは、上記訂正事項ａ〜ｄの訂正に伴い、それとの整合を図るために発明の詳細な説明の記載を訂正するものであり、明りょうでない記載の釈明を目的とするものであって、新規事項の追加に該当せず、実質上特許請求の範囲を拡張し又は変更するものではない。
　　　　　
【３】独立特許要件
　訂正後の請求項１〜６に係る発明は、後述するように、特許出願の際独立して特許を受けることができるものである。
　　　　　　
【４】訂正の適否についてのまとめ
　以上のとおりであるから、特許明細書に対する本訂正は、平成１１年改正前の特許法第１２０条の４第２項及び同条第３項において準用する特許法第１２６条第２項乃至第４項の規定に適合するので、当該訂正を認める。
　　　　　
　　　　　
［特許異議申立について］
【１】請求項１〜６に係る発明
　訂正後の請求項１〜６に係る発明（以下、それぞれ「本件発明１〜６」という）は、全文訂正明細書の特許請求の範囲の請求項１〜６に記載された事項により特定されるとおりのものである。（上記訂正事項ａ〜ｄ参照）
　　　　　　　
【２】特許異議申立の理由の概要
　異議申立人は、証拠方法として甲第１号証〔特開平６−２１８９３７号公報＝各取消理由の刊行物１〕，甲第２号証〔特開平５−２２０９６７号公報＝同刊行物２〕，甲第３号証〔特開平７−２５６８８９号公報＝同刊行物３〕，甲第４号証〔特開平２−２９３４６号公報＝同刊行物４〕を提出し、訂正前の本件発明１，３は甲第１号証に記載された発明と同一、もしくは、甲第１号証に記載された発明に基づいて当業者が容易に発明をすることができたものであり、また、訂正前の本件発明２，４〜６は甲第１〜４号証に記載された発明に基づいて当業者が容易に発明をすることができたものであるから、訂正前の本件発明１〜６の特許は特許法第２９条第１項、或いは、同法第２９条第２項の規定に違反してされたものであり、取り消されるべきであると主張している。
　尚、当審が平成１２年３月１７日付け取消理由通知で通知した取消理由は、異議申立人が提出した証拠と主張をほぼそのまま採用したものであり、また、当審が平成１２年７月４日付け訂正拒絶理由通知を兼ねた取消理由通知で通知した取消理由は、訂正明細書の請求項３〜５に係る発明がその請求項３〜５の記載において特許を受けようとする発明が明確になっていないという理由で特許法第３６条に規定する要件を満たさず特許出願の際独立して特許を受けることができないものであるから訂正請求は認められないとした上で、再度、上記平成１２年３月１７日付け取消理由通知で通知した取消理由と同一の理由を指摘すると共に新たに特許法第３６条に規定する要件を満たさないとの理由を指摘したものである。
　　　　　
【３】甲各号証に記載された発明
（１）甲第１号証〔特開平６−２１８９３７号公報〕
　甲第１号証には、「印字ヘッドの着脱操作時に自動的にヘッドキャップの開閉動作を行うことにより保存時の保守性に優れた印字ヘッドを使用できるインクジェット記録装置」（段落【０００７】参照）に関する発明が記載され、以下の技術事項が記載されている。
（ａ）ヘッドカートリッジ１２はインクカートリッジ３０と印字ヘッド１０とを内蔵し、印字ヘッド１０を被うシャッタガイド１３にはノズル１１に対応する部分にノズル面を露出するための吐出窓３２が開き、シャッタガイド１３の内部に設けたシャッタガイドスリット１４に沿ってシャッタユニット１５が移動して吐出窓３２の開閉動作を行い、シャッタユニット１５はシャッタカバー３３，吸収材２２，ヘッドシャッタ２３からなる層構造であり吸収材２２とヘッドシャッタ２３が印字ヘッド１０のノズル１１に密に接触しながら可動となっていて、シャッタユニット１５が完全に開けられた状態で印字ヘッド１０のノズル１１が吐出窓３２を通して露出されてインク吐出動作が可能となり、シャッタユニット１５が完全に閉じた保存状態でシャッタユニット１５の突起部材１７がヘッドカートリッジ１２の突起１９に押圧した状態で固定され且つヘッドシャッタ２３が印字ヘッド１０のノズル１１に密に接触してノズル面が清浄に保たれた状態で外気と遮断されること（段落【００１２】【００１６】【００２１】【００２６】、図１〜５参照）
（ｂ）ヘッドカートリッジ１２のキャリッジ８への装着は、ヘッドカートリッジ１２をヘッドガイド６に嵌合させると共にガイドピン２０をレバー１のカートリッジガイド２に挿入しつつヘッドカートリッジ１２をキャリッジ８上の矢印Ｂの方向に移動し、シャッタユニット１５のシャッタフック１６がフック受け４上に位置したところでヘッドカートリッジ１２を下ろしてシャッタフック１６をフック受け４の凹部に嵌合し、ヘッドカートリッジ１２をヘッドガイド６と支持体７により支持した状態でレバー１を矢印Ａ方向に回転させることでガイドピン２０をカートリッジガイド２に沿って摺動してヘッドカートリッジ１２を矢印Ｂ方向に移動し、ヘッドカートリッジ１２の移動にしたがってシャッタユニット１５がシャッタガイドスリット１４に沿ってシャッタガイド１３から引き出され、突起部材１７が部材１９上を摺動しフック受け４を押し下げて部材１９をのりこえ、さらにレバー１を回転させるとヘッドカートリッジ１２が矢印Ｂ方向に移動し続けてガイドピン２０がカートリッジガイド２の端まで移動して停止すると共に突起部材１７が部材１８をのりこえフック受け４を介してバネ２５により部材１８に押圧されて停止すること（段落【００２３】〜【００２６】、図２，４，５参照）
（ｃ）ヘッドカートリッジ１２のキャリッジ８からの抜脱は、図５に示す状態からレバー１を矢印Ａ’の方向に回転させてヘッドカートリッジ１２を矢印Ｂ’の方向に移動させ、装着動作と逆の手順を行なうことにより実現されること（段落【００２９】、図５参照）
（ｄ）ヘッドキャップ開閉機構の他の実施例は、ヘッドカートリッジ１２のキャリッジ８への装着時に、シャッタユニット１５がその端部に設けたシャッタガイドピン３５が部材３６のガイドピンスリット３７と嵌合しつつ開方向に摺動して開き、ヘッドカートリッジ１２のキャリッジ８からの抜脱時に、ヘッドカートリッジ１２の矢印Ｃ方向の移動に伴ってシャッタガイドピン３５が部材３６のガイドピンスリット３７と嵌合しつつ閉方向に摺動して閉じ、シャッタユニット１５の突起部材３４がヘッドカートリッジ１２（正確にはシャッタガイド１３）の凹部３８に嵌合して完全に閉じた状態で固定されること（段落【００３４】〜【００３８】、図６参照）
　そして、上記技術事項（ａ）〜（ｄ）からみて、甲第１号証には、以下の発明１〜３が記載されている。
〈発明１〉（以下、「甲第１号証に記載された発明１」という）
　「インクカートリッジ３０と、前記インクカートリッジ３０に取り付けられインクを噴出する印字ヘッド１０のノズル１１と、前記ノズル１１の周囲において前記インクカートリッジ３０に密着し、ノズル１１に対応する位置に吐出窓３２を有するシャッタガイド１３と、前記シャッタガイド１３と前記インクカートリッジ３０の間にスライド自在に保持され前記吐出窓３２を開閉するシャッタユニット１５とを有し、前記シャッタガイド１３及び前記シャッタユニット１５は、前記シャッタユニット１５が閉じたとき前記シャッタユニット１５と前記シャッタガイド１３とをロックする凹部３８及び突起部材３４を有し、前記シャッタユニット１５が閉じたとき前記シャッタユニット１５のヘッドシャッタ２３がノズル１１に密に接触することによりノズル１１が密閉されることを特徴とするヘッドカートリッジ１２。」（ロック機構は図６の例を参照）
〈発明２〉（以下、「甲第１号証に記載された発明２」という）
　「インクカートリッジ３０と、前記インクカートリッジ３０に取り付けられインクを噴出する印字ヘッド１０のノズル１１と、前記ノズル１１の周囲において前記インクカートリッジ３０に密着し、ノズル１１に対応する位置に吐出窓３２を有するシャッタガイド１３と、前記シャッタガイド１３と前記インクカートリッジ３０の間にスライド自在に保持され前記吐出窓３２を開閉するシャッタユニット１５とを有し、前記シャッタユニット１５が閉じたときは、ノズル１１が密閉され、インクジェット記録装置のレバー１，ヘッドガイド６，支持体７等を設けたキャリッジ８に差し込まれて装着されるヘッドカートリッジ１２において、前記シャッタユニット１５に設けたシャッタフック１６が前記キャリッジ８のフック受け４の凹部に嵌合され、前記キャリッジ８への着脱時の移動により前記シャッタユニット１５をスライドして開閉することを特徴とするヘッドカートリッジ１２。」
〈発明３〉
　「甲第１号証に記載された発明１のヘッドカートリッジ１２が装着されるインクジェット記録装置において、前記ヘッドカートリッジ１２を装着する際に一方向に差し込むようにして装着させるキャリッジ８の部材３６に設けられ装着状態において前記ヘッドカートリッジ１２のシャッタユニット１５に設けたシャッタガイドピン３５と係合するガイドピンスリット３７を有し、前記ヘッドカートリッジ１２を装着するとき、前記ガイドピンスリット３７が前記シャッタユニット１５に設けたシャッタガイドピン３５と係合して前記シャッタユニット１５を固定することにより前記シャッタユニット１５を開き、かつ前記ヘッドカートリッジ１２を取り外すとき、前記ガイドピンスリット３７が前記シャッタユニット１５に設けたシャッタガイドピン３５と係合して前記シャッタユニット１５を固定することにより前記シャッタユニット１５を閉じて凹部３８及び突起部材３４によってロックされるようにすることを特徴とするインクジェット記録装置。」（ロック機構及びシャッタ開閉機構は図６の例を参照）
 （２）甲第２号証〔特開平５−２２０９６７号公報〕
　甲第２号証には、「印字中にプリンタの電源が切られ、そのままの状態で長期間放置された場合でも、文字・図形を形成するドットがつねに正常に形成され、印字媒体上における記録が、鮮明かつ容易に判別できるインクジェットヘッド」（段落【００１０】参照）に関する発明が記載され、以下の技術事項が記載されている。
（ａ）薄い板状体で形成しノズル基板１の前面を覆うように装着されるキャップ１０が、ノズル５の前面を閉じる方向（矢印Ｐ方向）に常時附勢するためのバネ９が当接する当接部１０ｃと、その附勢力に抗して開く作動手段が当接する腕部１０ｂ、ノズル５からインクが噴射する時に障害にならないための開口部１０ｄを備えており、ヘッドの非作動時には、開□部１０ｄがヘッドのノズル５からずれる位置、すなわちノズル５を閉じる方向（矢印Ｐ方向）にバネ９によって附勢され、ストッパー８に曲げ部１０ａが当接した状態が保たれ、バネ９の附勢力に抗して腕部１０ｂに働く作動手段は、バネ９の発生する力に打ち勝つことができる大きさの力をもった電磁マグネットであり、インクジェットヘッド３０と一体に組み立てられているか内蔵されているが、作動手段はこれに限定されるものではないこと（段落【００１２】【００１６】、図１参照）
（ｂ）印字中にプリンタの電源が切られそのままの状態で長期間放置される場合でも、印字中に電源が切られた場合にはバネ９の附勢力に抗して腕部１０ｂに働く作動手段（例えば電磁マグネット）への通電もなくなることにより、自動的にバネ９の附勢力によってキャップ１０が矢印Ｐ方向に移動してノズル５が覆われ、ノズル５からのインクの蒸発が防止されて目詰まりが防止され、また、プリンタに電源が入った状態で印字信号が発生しない待機状態においては、腕部１０ｂに働く作動手段への電圧の印加を解除しておくこともできること（段落【００１２】【００１９】、図１参照）
（３）甲第３号証〔特開平７−２５６８８９号公報〕
　甲第３号証には、「汚染と損傷とからプリントヘッド、電気接点、又は、これらの両方を保護する、インクジェットペン用の保護キャップ」（段落【００１１】参照）に関する発明が記載され、以下の技術事項が記載されている。
（ａ）キャップ１２は、インク噴射口２０の開位置と閉位置との間を枢軸３０を旋回心軸として旋回でき、芯ねじりコイルばね４８により閉位置に向けて付勢し、キャップ１２が開位置にあるときインクジェットペン１４又はプリンタの動作に干渉せず、閉位置にあるときは保護位置に堅固に維持されること（段落【００２２】【００２８】、図１，２参照）　
（ｂ）ペンに備えられた付勢手段を使用して又は使用せずに、キャップ１２をプリンタに備えられたアクチュエータ機構によりインク噴射口２０の開位置と閉位置との間で動かすことができ、該アクチュエータ機構は、例えば、キャップ１２のタブ６２と係合する二又アクチュエータ６０を備えたモータ５８であり、プリンタが印刷中でないときには、インクジェットペン１４がホームステーションに移動されて二又アクチュエータ６０がタブ６２に係合したままキャップ１２がモータ５８によって閉位置に保持され、プリンタ起動時には、キャップ１２をモータ５８により開位置に移動させ且つラッチ５２により開位置に維持した状態でインクジェットペン１４がホームステーションから移動させられ二又アクチュエータ６０からタブ６２が外されること（段落【００３０】【００３２】【００３３】、図３，４参照）
（ｃ）別の保護キャップ被せ装置は、インク噴射口２０が露出される開位置とインク噴射口２０が覆われる閉位置との間を滑動する滑動キャップ６８を使用し、滑動キャップ６８は、支持台２８の両側に形成された案内軌道７２内に滑動自在に受けられる脚７０を備え、滑動キャップ６８が閉位置にある時にインク噴射口２０の周囲に保護シールを形成するように、エラストマーガスケットが滑動キャップ６８上に配置され、このシールは蒸発によって引き起こされるインクの凝固を防止する蒸気バリヤーとして働くこと（段落【００３９】【００４０】、図８参照）
（４）甲第４号証〔特開平２−２９３４６号公報〕　
　甲第４号証には、「液体噴射記録装置およびこのような記録装置に着脱可能であって、液吐出手段を具備したカートリッジ」（３頁右下欄３〜５行参照）に関する発明が記載され、以下の技術事項が記載されている。
（ａ）キャップ１６０は、平行リンクをなす揺動アーム１２０，１２１により筺体１００に支持され、揺動アーム１２０はこれと筺体１００とに結合した引張りばね１２３によりキャップ状態および収納状態を確保し、キャリッジ３に設けたモータ４０の駆動力を揺動アーム１２１に伝達してキャップ１６０を開閉すること（１４頁左上欄１８行〜右上欄１８行、第１７図参照）
（ｂ）キャップ１６０は、装置本体の電源オン時、記録開始時、吐出回復処理後、所定時間の経過毎、所定量の記録毎等、適宜のタイミングで開動作し、続けて記録を行わない場合や一連の記録が終了して記録を休止する場合には閉状態として、キャップ１６０によりインク蒸発や塵埃付着等から吐出口面１１２を保護してインクタンク１５０を大気から遮断しインク蒸発を防止すること（１５頁右上欄６行〜左下欄３行、第１７，１９図参照）　
　　　　　
【４】本件発明１〜６と甲各号証に記載された発明との対比・検討
（１）本件発明１について
１．本件発明１と甲第１号証に記載された発明１との対比
　本件発明１と甲第１号証に記載された発明１とを対比すると、甲第１号証に記載された発明１の「インクカートリッジ３０」，「印字ヘッド１０のノズル１１」，「シャッタガイド１３」，「吐出窓３２」，「シャッタユニット１５」，「ヘッドカートリッジ１２」，「凹部３８及び突起部材３４」が、本件発明１の「インクタンク」，「インク噴出口」，「カバー」，「開口部」，「保護キャップ」，「インクカートリッジ」，「第１及び第２のロック部」に、それぞれ相当するから、
　本件発明１と甲第１号証に記載された発明１とは、「インクタンクと、前記インクタンクに取り付けられインクを噴出するインク噴出口と、前記インク噴出口の周囲において前記インクタンクに密着し、インク噴出口に対応する位置に開口部を有するカバーと、前記カバーと前記インクタンクの間にスライド自在に保持され前記開口部を開閉する保護キャップとを有し、前記カバー及び前記保護キャップは、前記保護キャップが閉じたとき前記シャッタユニット１５と前記カバーとをロックする第１及び第２のロック部を有し、前記保護キャップが閉じたとき前記保護キャップのヘッドシャッタ２３がインク噴出口に密に接触することによりインク噴出口が密閉されることを特徴とするインクカートリッジ。」の点で構成が一致し、
　インク噴出口の密閉手段に関し、本件発明１が、「前記カバーは前記保護キャップが閉じたとき前記開口部に前記保護キャップの端部があたる部分に気密性保持のためのラバーを有し、前記保護キャップは前記端部に鋭部を有し」、保護キャップが閉じたときの第１及び第２のロック部による保護キャップとカバーとのロックにより、「前記ラバーに前記鋭部が食い込んでインク噴出口が密閉される」構成であるのに対し、甲第１号証に記載された発明１は、保護キャップにヘッドシャッタ２３を設けたものであり、保護キャップが閉じたときに、単に、そのヘッドシャッタ２３がインク噴出口に密に接触することで密閉されるものである点で構成が相違する。
２．構成の相違点についての検討
　本件発明１の甲第１号証に記載された発明１との上記構成の相違点に係る構成の点、即ち、密閉手段とロック手段との相互作用により密閉するようにした上記構成の点は、甲第２〜４号証の何れにも記載されていない。
　尚、甲第１号証に記載された発明１は、保護キャップが閉じたとき保護キャップとカバーとを第１及び第２のロック部によりロックするものであるが、このロック手段は保護キャップの位置決め程度の作用しか有しないから密閉手段との間で相互作用を奏するものではなく、また、甲第３号証に、密閉手段について記載（記載事項（ｃ）参照）されているが、その構成は定かでない。
３．まとめ
　そして、本件発明１は、上記構成の相違点に係る構成を具えることにより、保護キャップが開口部を閉じたときに確実にインク噴出口の周りの気密性を確保することができる等の、甲第１〜４号証に記載された発明からは期待することができない格別の作用効果を奏するものと認められるから、本件発明１が甲第１〜４号証に記載された発明と同一のものであるとも甲第１〜４号証に記載された発明から当業者が容易に発明をすることができたものとも認められない。
（２）本件発明２について
１．本件発明２と甲第１号証に記載された発明２との対比
　本件発明２と甲第１号証に記載された発明２とを対比すると、甲第１号証に記載された発明２の「インクカートリッジ３０」，「印字ヘッド１０のノズル１１」，「シャッタガイド１３」，「吐出窓３２」，「シャッタユニット１５」，「レバー１，ヘッドガイド６，支持体７等を設けたキャリッジ８」，「ヘッドカートリッジ１２」が、本件発明２の「インクタンク」，「インク噴出口」，「カバー」，「開口部」，「保護キャップ」，「インクカートリッジホルダ」，「インクカートリッジ」に、それぞれ相当するから、
　本件発明２と甲第１号証に記載された発明１とは、「インクタンクと、前記インクタンクに取り付けられインクを噴出するインク噴出口と、前記インク噴出口の周囲において前記インクタンクに密着し、インク噴出口に対応する位置に開口部を有するカバーと、前記カバーと前記インクタンクの間にスライド自在に保持され前記開口部を開閉する保護キャップとを有し、前記保護キャップが閉じたときは、インク噴出口が密閉され、インクジェット記録装置のインクカートリッジホルダに差し込まれて装着されるインクカートリッジにおいて、前記インクカートリッジホルダへの着脱時の移動により前記保護キャップをスライドして開閉することを特徴とするインクカートリッジ。」の点で構成が一致し、
　保護キャップの開閉手段に関し、本件発明２が、「前記保護キャップと接して回転可能に保持され、前記インクカートリッジホルダへの着脱時の摩擦による回転により前記保護キャップをスライドして開閉するローラを有」し、インクカートリッジのインクカートリッジホルダへの着脱時の摩擦によるローラの回転により保護キャップをスライドして開閉する構成であるのに対し、甲第１号証に記載された発明２は、保護キャップに設けたシャッタフック１６がインクカートリッジホルダのフック受け４の凹部に嵌合され、保護キャップが、インクカートリッジのインクカートリッジホルダへの着脱時にフック受け４に嵌合して、保護キャップをスライドして開閉するものである点で構成が相違する。
２．構成の相違点についての検討
　本件発明２の甲第１号証に記載された発明２との上記構成の相違点に係る構成の点は、甲第２〜４号証の何れにも記載されていない。
３．まとめ
　そして、本件発明２は、上記構成の相違点に係る構成を具えることにより、インクカートリッジホルダのインクカートリッジ装着部分の構造を簡略化できる等の、甲第１〜４号証に記載された発明からは期待することができない格別の作用効果を奏するものと認められるから、本件発明２が甲第１〜４号証に記載された発明と同一のものであるとも甲第１〜４号証に記載された発明から当業者が容易に発明をすることができたものとも認められない。
（３）本件発明３〜６について
  本件発明３〜６は、本件発明１を引用する発明、即ち、本件発明３〜６の「インクジェット記録装置」に係る発明は、本件発明１の「インクカートリッジ」をその構成要件として具備するものである。
　したがって、本件発明３〜６は、本件発明１を特定する事項のすべてをその特定する事項として備えるものであるから、本件発明３〜６も、本件発明１と同様に、甲第１〜４号証に記載された発明と同一のものであるとも甲第１〜４号証に記載された発明から当業者が容易に発明をすることができたものとも認められない。
　　　　　　　　
【５】取消理由について
　平成１２年３月１７日付け及び平成１２年７月４日付け取消理由通知で通知した共通の取消理由は、異議申立人が提出した証拠と主張をほぼそのまま採用したものであるから、その対比・判断も前述【２】〜【４】に記載したとおりであり、また、平成１２年７月４日付け取消理由通知で通知した特許法第３６条に規定する要件を満たさないとの取消理由については訂正請求により解消され、それぞれ理由がないものである。
　　　　　　　　　
【６】特許異議申立についての結論
　結局、本件発明１〜６は、甲第１〜４号証に記載された発明であるとも、甲第１〜４号証に記載された発明から当業者が容易に発明することができたものであるとも認めることができないから、本件発明１〜６の特許が特許法第２９条第２項の規定に違反してされたものであり、取り消されるべきものであるという異議申立人の主張は採用できない。
　　　　　
　　　　　
［むすび］
　以上のとおりであるから、特許異議申立の理由および証拠方法によっては、本件発明１〜６についての特許を取り消すことはできない。
　また、他に本件発明１〜６についての特許を取り消すべき理由を発見しない。
　よって、結論のとおり決定する。
【異議決定日】
平成１２年１０月２０日（２０００．１０．２０）
【訂正の要旨】
訂正の要旨
（１）訂正事項ａ・・・特許請求の範囲の請求項１を、
　「【請求項１】インクタンクと、前記インクタンクに取り付けられインクを噴出するインク噴出口と、前記インク噴出口の周囲において前記インクタンクに密着し、インク噴出口に対応する位置に開口部を有するカバーと、前記カバーと前記インクタンクの間にスライド自在に保持され前記開口部を開閉する保護キャップとを有し、前記カバーは前記保護キャップが閉じたとき前記開口部に前記保護キャップの端部があたる部分に気密性保持のためのラバーを有し、前記保護キャップは前記端部に鋭部を有し、前記カバー及び前記保護キャップは、前記保護キャップが閉じたとき前記保護キャップと前記カバーとをロックする第１及び第２のロック部を有し、前記保護キャップが閉じたとき前記ラバーに前記鋭部が食い込んでインク噴出口が密閉されることを特徴とするインクカートリッジ。」と訂正する。
（２）訂正事項ｂ・・・特許請求の範囲の請求項２を、
　「【請求項２】インクタンクと、前記インクタンクに取り付けられインクを噴出するインク噴出口と、前記インク噴出口の周囲において前記インクタンクに密着し、インク噴出口に対応する位置に開口部を有するカバーと、前記カバーと前記インクタンクの間にスライド自在に保持され前記開口部を開閉する保護キャップとを有し、前記保護キャップが閉じたときは、インク噴出口が密閉され、インクジェット記録装置のインクカートリッジホルダに差し込まれて装着されるインクカートリッジにおいて、前記保護キャップと接して回転可能に保持され、前記インクカートリッジホルダヘの着脱時の摩擦による回転により前記保護キャップをスライドして開閉するローラを有することを特徴とするインクカートリッジ。」と訂正する。
（３）訂正事項ｃ・・・特許請求の範囲の請求項３〜５を、
　「【請求項３】請求項１に記載のインクカートリッジが装着されるインクジェット記録装置において、前記インクカートリッジを装着する際に一方向に差し込むようにして装着させるアーム部材に設けられ装着状態において前記インクカートリッジの保護キャップと係合する係合部を有し、前記インクカートリッジを装着するとき、前記係合部が前記保護キャップと係合して前記保護キャップを固定することにより前記保護キャップを開き、かつ、前記インクカートリッジを取り外すとき、前記係合部が前記保護キャップと係合して前記保護キャップを固定することにより前記保護キャップを閉じて前記第１及び第２のロック部によってロックされるようにすることを特徴とするインクジェット記録装置。
　　【請求項４】請求項１に記載のインクカートリッジが装着されるインクジェット記録装置において、前記インクカートリッジを装着する際に一方向に差し込むようにして装着させるアーム部材に設けられ、前記インクカートリッジを装着するとき前記インクカートリッジの前記保護キャップと係合して前記保護キャップを固定することにより前記保護キャップを開き、かつ、前記インクカートリッジを取り外すとき前記保護キャップと係合して前記保護キャップを固定することにより前記保護キャップを閉じて前記第１及び第２のロック部によってロックされるようにする係合部と、前記係合部を移動させ前記保護キャップを開閉する開閉駆動手段とを有することを特徴とするインクジェット記録装置。
　　【請求項５】請求項１に記載のインクカートリッジが装着されるインクジェット記録装置において、前記インクカートリッジを装着する際に一方向に差し込むようにして装着させるアーム部材に設けられ、前記インクカートリッジを装着するとき前記インクカートリッジの前記保護キャップと係合して前記保護キャップを固定することにより前記保護キャップを開き、かつ、前記インクカートリッジを取り外すとき前記保護キャップと係合して前記保護キャップを固定することにより前記保護キャップを閉じて前記第１及び第２のロック部によってロックされるようにする係合部と、前記保護キャップが閉じる方向に前記係合部を押す弾性体と、前記係合部を前記保護キャップが開く方向、または、閉じる方向に移動させて保持し、または、前記係合部の移動をフリーにする開閉駆動手段と、印字データの受信及び印字処理状態を認識し前記開閉駆動手段を制御する制御手段とを有することを特徴とするインクジェット記録装置。」と訂正する。
（４）訂正事項ｄ・・・特許請求の範囲の請求項６を、
　「【請求項６】請求項１に記載のインクカートリッジが装着されるインクジェット記録装置において、前記インクカートリッジの前記保護キャップと係合する係合部と、前記保護キャップが閉じる方向に前記係合部を押す弾性体と、前記係合部を前記保護キャップが開く方向、または、閉じる方向に移動させて保持し、または、前記係合部の移動をフリーにする開閉駆動手段と、印字データの受信及び印字処理状態を認識し前記開閉駆動手段を制御する制御手段とを有するインクジェット記録装置において、前記制御手段は、印字処理後に印字データ受信中であるか、または印字処理後所定の時間経過前に印字データを受信した場合に、前記係合部を前記保護キャップが開く方向に移動させて保持し、印字処理後所定の時間以上印字データを受信していないとき、前記係合部の移動をフリーにするように開閉駆動手段を制御することを特徴とするインクジェット記録装置。」と訂正する。
（５）訂正事項ｅ・・・特許明細書の発明の詳細な説明の段落【０００８】（特許掲載公報２頁４欄２〜１１行）を、
　「【０００８】【課題を解決するための手段】本発明のインクカートリッジ（図１の１）は、インク噴出口（図１の３）の周囲においてインクタンク（図１の８）に密着し、インク噴出口（図１の３）に対応する位置に開口部を有するカバー（図１の４）と、カバー（図１の４）とインクタンク（図１の８）の間にスライド自在に保持され開口部を開閉する保護キャップ（図１の２）とを有し、カバー（図１の４）は保護キャップ（図１の２）が閉じたとき開口部に保護キャップ（図１の２）の端部があたる部分に気密性保持のためのラバー（図１の６）を有し、保護キャップは端部に鋭部（図１の２ｂ）を有し、保護キャップ（図１の２）及びカバー（図１の４）は保護キャップ（図１の２）が閉じたとき保護キャップ（図１の２）とカバー（図１の４）とをロックする凸部（図１の４ａ）及び凹部（不図示）を有し、保護キャップ（図１の２）が閉じたときラバー（図１の６）に鋭部（図１の２ｂ）が食い込んでインク噴出口（図１の３）が密閉される。」と訂正する。
（６）訂正事項ｆ・・・特許明細書の発明の詳細な説明の段落【００１０】（特許掲載公報２頁４欄１６〜２５行）を、
　「【００１０】また、インクカートリッジ（図１の１）が装着されるインクジェット記録装置において、インクカートリッジ（図１の１）を装着する際に一方向に差し込むようにして装着させる下アーム（図１の１０）に設けられインクカートリッジ（図１の１）の保護キャップ（図１の２）と係合する保護キャップ押さえ（図３の１２）を有し、インクカートリッジ（図１の１）を装着するとき、保護キャップ押さえ（図３の１２）が保護キャップ（図１の２）と係合して保護キャップ（図１の２）を固定することにより保護キャップ（図１の２）を開き、かつ、インクカートリッジ（図１の１）を取り外すとき、保護キャップ押さえ（図３の１２）が保護キャップ（図１の２）と係合して保護キャップ（図１の２）を固定することにより保護キャップ（図１の２）を閉じて凸部（図１の４ａ）及び凹部（不図示）によってロックされるようにする。」と訂正する。
（７）訂正事項ｇ・・・特許明細書の発明の詳細な説明の段落【００１３】（特許掲載公報２頁４欄４１行〜３頁５欄１行）を、
　「【００１３】また、インクジェット記録装置は、インクカートリッジ（図１の１）を装着する際に一方向に差し込むようにして装着させる下アーム（図１の１０）に設けられ、インクカートリッジ（図１の１）を装着するときインクカートリッジ（図１の１）の保護キャップ（図１の２）と係合して保護キャップ（図１の２）を固定することにより保護キャップ（図１の２）を開き、かつ、インクカートリッジ（図１の１）を取り外すとき保護キャップ（図１の２）と係合して保護キャップ（図１の２）を固定することにより保護キャップ（図１の２）を閉じて凸部（図１の４ａ）及び凹部（不図示）によってロックされるようにする保護キャップ押さえ（図３の１２）と、保護キャップが閉じる方向に保護キャップ押さえ（図３の１２）を押すバネ（図５の２７）と、保護キャップ押さえ（図３の１２）を保護キャップ（図１の２）が開く方向、または、閉じる方向に移動させて保持し、または、保護キャップ押さえ（図３の１２）の移動をフリーにするモータ（図８の２０）と、印字データの受信及び印字処理状態を認識しモータ（図８の２０）を制御する制御部（図９の３７）とを有する。」と訂正する。
（５４）【発明の名称】
インクカートリッジおよびインクジェット記録装置
（５７）【特許請求の範囲】
　【請求項１】インクタンクと、前記インクタンクに取り付けられインクを噴出するインク噴出口と
、
自在
前記カバーは前記保護キャップが閉じたとき前記開口部に前記保護キャップの端部があたる部分に気密性保持のためのラバーを有し、前記保護キャップは前記端部に鋭部を有し、前記カバー及び前記保護キャップは、前記保護キャップが閉じたとき前記保護キャップと前記カバーとをロックする第１及び第２のロック部を有し、
前記ラバーに前記鋭部が食い込んで
　【請求項２】
インクタンクと、前記インクタンクに取り付けられインクを噴出するインク噴出口と、前記インク噴出口の周囲において前記インクタンクに密着し、インク噴出口に対応する位置に開口部を有するカバーと、前記カバーと前記インクタンクの間にスライド自在に保持され前記開口部を開閉する保護キャップとを有し、前記保護キャップが閉じたときは、インク噴出口が密閉され、インクジェット記録装置のインクカートリッジホルダに差し込まれて装着されるインクカートリッジにおいて、
　前記保護キャップと接して回転可能に保持され、
前記インクカートリッジホルダヘの着脱時の摩擦による
　【請求項３】請求項１に記載のインクカートリッジが装着されるインクジェット記録装置において、
前記インクカートリッジを装着する際に一方向に差し込むようにして装着させるアーム部材に設けられ
が前記保護キャップと係合して前記保護キャップを固定すること
が前記保護キャップと係合して前記保護キャップを固定すること
て前記第１及び第２のロック部によって
されるように
　【請求項４】請求項１に記載のインクカートリッジが装着されるインクジェット記録装置において、
前記インクカートリッジを装着する際に一方向に差し込むようにして装着させるアーム部材に設けられ、前記インクカートリッジを装着するとき
して前記保護キャップを固定することにより前記保護キャップを開き、かっ、前記インクカートリッジを取り外すとき前記保護キャップと係合して前記保護キャップを固定することにより前記保護キャップを閉じて前記第１及び第２のロック部によってロックされるように
　【請求項５】請求項１に記載のインクカートリッジが装着されるインクジェット記録装置において、
前記インクカートリッジを装着する際に一方向に差し込むようにして装着させるアーム部材に設けられ、前記インクカートリッジを装着するとき
して前記保護キャップを固定することにより前記保護キャップを開き、かつ、前記インクカートリッジを取り外すとき前記保護キャップと係合して前記保護キャップを固定することにより前記保護キャップを閉じて前記第１及び第２のロック部によってロックされるように
　【請求項６】
請求項１に記載のインクカートリッジが装着されるインクジェット記録装置において、前記インクカートリッジの前記保護キャップと係合する係合部と、前記保護キャップが閉じる方向に前記係合部を押す弾性体と、前記係合部を前記保護キャップが開く方向、または、閉じる方向に移動させて保持し、または、前記係合部の移動をフリーにする開閉駆動手段と、印字データの受信及び印字処理状態を認識し前記開閉駆動手段を制御する制御手段とを有するインクジェット記録装置において、
　前記制御手段は、
印字処理後に
であるか、
経過前に
た
印字処理後所定の時間以上印字データを受信していないとき
インクジェット記録装置
【発明の詳細な説明】
　【０００１】
　【発明の属する技術分野】本発明は、インクカートリッジおよびるインクジェット記録装置に関し、特に保護キャップによりインク噴出口の乾燥を防止するインクカートリッジおよびこのインクカートリッジを装着するインクジェット記録装置に関する。
　【０００２】
　【従来の技術】従来のこの種のインクカートリッジは、インクジェット方式の記録装置において、インク噴出口におけるインクの乾燥や蒸発を防ぎ、インク噴出不良による画像のムラを生じること無く、常に高品位な安定した記録画像を得るために用いられている。一般的に、インク噴出口が露出された状態で放置されると、数分で乾燥が始まり、ノズルの目詰まりなどの障害が発生する。そのため、印刷時にはドット抜け等を原因とする画像のムラが発生する。そこで、インク噴出口未使用時にはその周囲の乾燥した空気が直接ノズルに触れないようにする必要がある。たとえば、特開平８−３９８２７号公報には、インク噴出口を保護するために、着脱自在のキャップ部材でインク噴出口を覆う技術が記載されている。
　【０００３】
　【発明が解決しようとする課題】しかし、上記の従来の技術では、保護キャップが着脱式であるため、保護キャップを紛失する恐れがあるという問題があった。
　【０００４】また、記録装置に装着のとき、保護キャップを取り外す手間がかかるという問題があった。
　【０００５】本発明の目的は、インク噴出口の保護キャップを紛失する恐れの無いインクカートリッジを提供することである。
　【０００６】また、本発明の他の目的は、インク噴出口の乾燥による印刷品質の低下を防止することである。
　【０００７】また、本発明の他の目的は、記録装置に装着するとき保護キャップを取り外す手間をなくすことである。
　【０００８】
　【課題を解決するための手段】本発明のインクカートリッジ（図１の１）は、インク噴出口（図１の３）の周囲においてインクタンク（図１の８）に密着し、インク噴出口（図１の３）に対応する位置に開口部を有するカバー（図１の４）と、カバー（図１の４）とインクタンク（図１の８）の問にスライド自在に保持され開口部を開閉する保護キャップ（図１の２）とを有し、
カバー（図１の４）は保護キャップ（図１の２）が閉じたとき開口部に保護キャップ（図１の２）の端部があたる部分に気密性保持のためのラバー（図１の６）を有し、保護キャップは端部に鋭部（図１の２ｂ）を有し、保護キャップ（図１の２）及びカバー（図１の４）は保護キャップ（図１の２）が閉じたとき保護キャップ（図１の２）とカバー（図１の４）とをロックする凸部（図１の４ａ）及び凹部（不図示）を有し、
ラバー（図１の６）に鋭部（図１の２ｂ）が食い込んで
　【０００９】したがって、インク噴出口の保護キャップは、インクカートリッジと一体であり、スライド式に開閉し、閉じたときにインク噴出口の乾燥を防止するように構成されている。
　【００１０】また、インクカートリッジ（図１の１）が装着されるインクジェット記録装置において、
インクカートリッジ（図１の１）を装着する際に一方向に差し込むようにして装着させる下アーム（図１の１０）に設けられ
が保護キャップ（図１の２）と係合して保護キャップ（図１の２）を固定すること
が保護キャップ（図１の２）と係合して保護キャップ（図１の２）を固定すること
て凸部（図１の４ａ）及び凹部（不図示）によってロックされるようにす
　【００１１】インクジェット記録装置に、インクカートリッジ（図１の１）を装着するとき、保護キャップ押さえ（図３の１２）が、保護キャップ（図１の２）と係合し、インクカートリッジを深く押し込むにつれ保護キャップ（図１の２）が開かれ、完全に装着されたときには、保護キャップ（図１の２）が確実に開かれる。また、インクカートリッジ（図１の１）を取り外すとき、保護キャップ押さえ（図３の１２）が、保護キャップ（図１の２）と係合し、インクカートリッジを引き出すにつれ保護キャップ（図１の２）が閉じられ、完全に取り外されたときには、保護キャップ（図１の２）が確実に閉じられる。
　【００１２】したがって、保護キャップは、装着の際に自動的に押し開かれ、取り外すとき自動的に閉じられる。
　【００１３】また、インクジェット記録装置は、
インクカートリッジ（図１の１）を装着する際に一方向に差し込むようにして装着させる下アーム（図１の１０）に設けられ、インクカートリッジ（図１の１）を装着するとき
して保護キャップ（図１の２）を固定することにより保護キャップ（図１の２）を開き、かつ、インクカートリッジ（図１の１）を取り外すとき保護キャップ（図１の２）と係合して保護キャップ（図１の２）を固定することにより保護キャップ（図１の２）を閉じて凸部（図１の４ａ）及び凹部（不図示）によってロックされるように
　【００１４】インクジェット記録装置が印字データの受信及び印字処理状態を認識し保護キャップを開く方向、または、閉じる方向に移動させて保持するよう制御することにより、待機中等に保護キャップを閉じる構成とし、また、保護キャップが閉じる方向に保護キャップ押さえを押すバネを有することにより、電源がｏｆｆされて保護キャップの移動がフリーとなっているときバネにより保護キャップを閉じ、インクカートリッジの保管時のみならず、インクジェット記録装置に装着されて印字を行っていない待機中及び電源がｏｆｆされている等の状態においてもインクの乾燥を防ぎ、印字品質の劣化を防止する。
　【００１５】
　【発明の実施の形態】次に、本発明のインクカートリッジの実施の形態について図面を参照して詳細に説明する。図１は本発明のインクカートリッジの第１の実施の形態を示す斜視図である。
　【００１６】インクカートリッジ１は、インク噴出口３と、スライドして開閉される保護キャップ２と、保護キャップ２をスライド自在に保持するカバー４と、内部にインクを蓄えるインクタンク８とから構成される。
　【００１７】インク噴出口３は、インクを噴出する多数の穴（ノズル）を有する金属板である。
　【００１８】保護キャップ２は、プラスチックであり、スライド自在に保持される円筒面状の板部材である。
　【００１９】また、保護キャップ２の端部にはレバー２ａが形成されている。レバー２ａはカバー４の外形より外側に突出する直方体の突起であり、レバー２ａを操作して保護キャップ２を開閉することができる。
　【００２０】カバー４は、プラスチックの板状部材であり、インク噴出口３の周囲においてインクタンク８に密着し、インク噴出口３に対応する位置に開口部を有し、インク噴出口３付近に、保護キャップ２を挟んで、インクタンク８に固定され、保護キャップ２をスライド自在に保持する。
　【００２１】保護キャップ２は、インクカートリッジ１のカバー４の内面に沿ってスライドし、保護キャップのレバー２ａがカバーの開口部の端部に当接することによりスライドが停止する。保護キャップ２が開くと、インク噴出口３が外部に露出され、インクの噴出が可能になる。保護キャップ２が閉じられると、インク噴出口３は保護キャップ２に覆われ気密状態となりインクの乾燥が進まなくなる。
　【００２２】次に保護キャップ２の付近の詳細な構成について説明する。
　【００２３】図２は、図１のインクカートリッジにおいて保護キャップ２が閉じた状態の断面図である。
　【００２４】インクタンク８は、保護キャップ２が取り付けられる部分において保護キャップと対応して陥没した形状となっている。
　【００２５】また、カバー４は、インクタンク８の外形に沿った形状となっており、密着して取り付けられている。カバー４の内面とインクタンク８との間に一定の幅の間隙が形成され、保護キャップ２は、カバー４とインクタンク８の間に形成された間隙５にスライド自在に保持される。
　【００２６】また、保護キャップ２がスライドしてインク噴出口３を覆いカバー４の開口部を閉じるとき保護キャップ２の端部があたる部分には、気密性保持のためのラバー６を有する。ラバー６は直方体状の形状を持ち、保護キャップ２が閉じたときに保護キャップの端部があたるようになっている。また、保護キャップ２の端部には高さ０．５ｍｍ程度の三角状の鋭部２ｂを設け、保護キャップ２が閉じたときに、ラバー６に食い込むことにより気密性を確保している。
　【００２７】さらに、保護キャップ２裏側には、保護キャップ２とインク噴出口３が接触しないように溝２ｃを設け、溝２ｃにはスポンジ製のブラシ１３を設け、保護キャップ２が動作する際に、インク噴出口３をクリーニングすると共に、保護キャップ２が閉じている状態でのインク噴出口３の乾燥を防ぐ役割をも果たしている。
　【００２８】また、保護キャップ２のレバー２ａ付近の端部両側には凹部（不図示）を設け、図１に示すようにカバー４の開口部のラバー６付近の内側両側には直径０．５ｍｍ程度の円形の凸部４ａを設け、保護キャップ２を閉じて鋭部２ｂがラバー６に食い込んだたときに、保護キャップ２の凹部とカバー４の凸部が係合し、閉じた状態で保護キャップ２をロックするようにした。
　【００２９】上記の構成により、保護キャップ内側の気密性を保ち、且つ保護キャップが閉じられたときに不慮に開いてしまうことがないよう、固定されているので、保護キャップ２を閉めることによりインク噴出口３の乾燥を確実に防止することができる。
　【００３０】なお、閉じた状態で保護キャップ２をロックする機構は、上述のレバー２ａの凹部とカバー４の凸部に限られず、保護キャップが閉じられたときに不慮に開いてしまうことがないよう、固定されるものであれば他の機構でも構わない。
　【００３１】図３は図１のインクカートリッジ１を装着して印字を行うインクジェット記録装置のインクカートリッジ装着部分であるインクカートリッジホルダ９を示す一部拡大斜視図である。
　【００３２】インクカートリッジホルダ９は、インクカートリッジ１をプリンタのキャリア上に取り付けるための部材である。
　【００３３】インクカートリッジホルダ９は、下アーム１０、上アーム１１および保護キャップ押さえ１２を有する。保護キャップ押さえ１２は、一対の爪１２ａ、１２ｂを有する。これらは全てプラスチック素材により作られている。下アーム１０は、図１に示すインクカートリッジの両側側面に設けられた溝７に係合する形状になっている。
　【００３４】図４は本発明のインクカートリッジ１が図３に示すインクカートリッジホルダ９に装着された状態を示す斜視図である。
　【００３５】インクカートリッジホルダ９にインクカートリッジ１を装着する際は、インクカートリッジ１をインクカートリッジホルダ９に図の上方から差し込むようにして、インクカートリッジ１の溝７にインクカートリッジホルダ９の下アーム１０を係合させる。そして、下アーム１０と上アーム１１で、インクカートリッジ１を挟むことにより固定する。装着の際には保護キャップ押さえ１２の爪１２ａ、１２ｂが、図１に示す保護キャップ２のレバー２ａの両端部と係合して自動的に保護キャップ２が押し開かれる。
　【００３６】また、インクカートリッジ１をインクカートリッジホルダ９から取り外すときには、保護キャップ押さえ１２の爪１２ａ、１２ｂが保護キャップ２のレバー２ａの両端部と係合したまま溝７に沿って外れるので、自動的に保護キャップ２が閉じロックされ、インクカートリッジホルダ９から取り外される。
　【００３７】なお、レバー２ａおよび爪１２ａ、１２ｂの形状は、図に示した形状に限られるものではなく、インクカートリッジ装着時互いに係合してロックされ、インクカートリッジを取り外すとき、係合部により保護キャップが閉じられロックされるものであれば他の形状でも構わない。
　【００３８】次に本発明のインクカートリッジの第２の実施の形態について図面を参照して説明する。
　【００３９】図５は本発明のインクカートリッジの第２の実施の形態を示す斜視図である。
　【００４０】図５を参照すると、インクカートリッジ１４の一つの面にローラ１５が設けられている。このローラ１５は、ゴム等の摩擦係数の大きな材料のローラである。また、保護キャップ１６は第１の実施の形態に対し延長部１６ａを有している点で異なる。ローラ１５は保
護キャップ１６の延長部１６ａにおいて接触し、ローラ１５の回転は保護キャップ１６の開閉と連動している。
　【００４１】図６は図５のインクカートリッジ１４を装着して印字を行うインクジェット記録装置のインクカートリッジ装着部分であるインクカートリッジホルダ１７の斜視図である。インクカートリッジ１４はインクカートリッジホルダ１７に、図６の右方から差し込むことにより、装着する。
　【００４２】その際に、ローラ１５はインクカートリッジホルダ１７の内壁との摩擦により回転し、インクカートリッジ１４の着脱の間に保護キャップ１６は開閉する。
　【００４３】図７は、図５のインクカートリッジ１４において保護キャップ１６が閉じた状態の保護キャップ付近の部分断面図である。
　【００４４】図５に示される２つのローラ１５はローラ軸１５ａにより連結され、図７に示されるようにローラ軸１５ａは、カバー１９に押さえられて、保護キャップ１６の延長部１６ａに接している。
　【００４５】したがって、インクカートリッジ１４がインクカートリッジホルダ１７に装着されるとき、ローラ１５は、インクカートリッジホルダ１７の内面との摩擦により、図７において時計方向に回転するので、保護キャップ１６は開き、インクカートリッジ１４が取り外されるときは、ローラ１５は逆に反時計方向に回転するので、保護キャップ１６が閉じられる。
　【００４６】なお、ローラは、保護キャップの延長部と接して回転可能に保持され、回転により保護キャップをスライドするものであれば他の形状でも構わない。
　【００４７】また、インクカートリッジホルダの形状および、ローラの位置は、インクカートリッジを装着、または、取り外す操作に伴ってローラを回転し、前記保護キャップを開く、または、閉じるものであれば他の構成であっても構わない。
　【００４８】これらのインクカートリッジを装着して印字を行うインクジェット記録装置は、上記のインクジェットホルダをキャリヤに取り付けるものとしてもよいが、さらに第１の実施の形態における保護キャップ押さえを移動させる駆動機構、あるいは第２の実施の形態におけるローラを回転させる駆動機構を有し、この駆動機構により、保護キャップをインクジェット記録装置本体の制御部によって開閉可能な構成とすることもできる。
　【００４９】さらに、インクジェット記録装置が印字データ受信中、または印字処理中、または印字処理後所定の時間印字データを受信しない場合のみ、保護キャップを開く方向に移動させて保持し、それ以外のときは、保護キャップの移動をフリーにし、待機中、及び、電源がｏｆｆされているとき、保護キャップを閉じる構成とし、インクカートリッジの保管時のみならず、インクジェット記録装置に装着して動作している状態においてもインクの乾燥を防ぎ、印字品質の劣化を防止することもできる。
　【００５０】図８は、図１のインクカートリッジを装着し、保護キャップ２を開閉する駆動機構を有するインクカートリッジホルダ２８の斜視図である。
　【００５１】図８に示すようにモータ２０は、ギヤ２１、２２、２３及びシャフト２４を介して、保護キャップ押さえ２５のギヤ部２５ａ、ｂと結合し、インクジェット記録装置が電源ｏｎの間、保護キャップ押さえ２５を下フレーム２６のストッパ部２６ａに当接し保護キャップ２が開かれた状態で保持するか、あるいは逆方向に回転し保護キャップ押さえ２５を下げ下フレーム２６に当接し保護キャップ２が閉じられた状態で保持する。また電源がｏｆｆされると回転がフリーになる。
　【００５２】また、保護キャップ押さえ２５と下フレーム２６の間には、保護キャップを閉じる方向に押すバネ２７が取り付けられ、インクジェット記録装置の電源がｏｆｆされ、モータ２０の回転がフリーとなっているとき保護キャップ２が閉じるように構成されている。
　【００５３】また、バネ２７をインクカートリッジホルダ２８側に設ける代わりに、図２のインクカートリッジ１の間隙５にコイルスプリングやプラスチック成型品の弾性体等を、保護キャップ２を閉じる方向に押すように配置し、インクカートリッジ１側において保護キャップ２を閉じる力を加えるものとしてもよい。
　【００５４】また、図５のようにローラ１５により保護キャップ１６が開閉されるインクカートリッジ１４を装着する場合は、インクカートリッジ１４が装着された状態において、ローラ１５と接触し、モータにより回転力を加えられる駆動ローラをインクカートリッジホルダに設ければよい。
　【００５５】この場合には、駆動ローラの軸には、ぜんまい状のバネ、トーションバー等により保護キャップが閉じる方向に回転力が加えられているものとする。
　【００５６】図９は、受信した印字データの印字を完了して一定時間印字データを受信しない場合に保護キャップを閉じるインクジェット記録装置のブロック図である。
　【００５７】図９に示す様にインクジェット記録装置３０は、上位装置３１から印字データを受信し、印字データを受信していることを認識し印字データ検知信号を出力する印字データ受信部３２と、受信された印字データが展開され印字部において認識できるデータ形式に変換されて格納され、変換された印字データの存在を認識するデータバッファ３３と、タイマ３４と、保護キャップ２の開閉を駆動するモータ２０を制御する保護キャップ開閉制御回路３５と、インクカートリッジ１が装着されているか否かを検知する装着検知スイッチ２９と、データバッファ３３に格納されたデータに基づき印字を行う印字部３６と、これらを制御する制御部３７を有している。
　【００５８】制御部３７は印字部３６を制御して、データバッファ３３に印字データが格納されていれば、保護キャップ開閉制御回路３５を制御しモータ２０を図８のｂ方向に回転して保護キャップ２を開いて保持し、格納されていた印字データに基づいてデータバッファ３３にデータがなくなるまで印字を行う。データバッファ３３にデータがなくなり印字が終了したことを認識すると、制御部３７は印字データ受信部３２において印字データが存在するか検知する。印字データ受信部３２において印字データが存在する場合は、保護キャップ２を開いた状態で保持したまま、受信された印字データを展開し、印字部において認識できるデータ形式に変換して、データバッファに格納し、印字を行う。どちらにも印字データがない場合、タイマ３４をリセットして計時をスタートする。この間も保護キャップ２を開いた状態で保持する。制御部３７は、タイマ３４をスタートしてから一定時間経過する前に、印字データ受信部３２から印字データ検知信号が入力されると、タイマ３４をストップして保護キャップ２を開いた状態で保持したまま印字動作を行い、一定時間経過までに印字データ検知信号が入力されなければ、保護キャップ開閉制御回路３５を制御しモータ２０を図８のａ方向に回転させ、または、モータの回転をフリーにし、保護キャップ２を閉じる。この状態で制御部３７に、印字データ検知信号が入力されると、保護キャップ開閉制御回路３５を制御しモータ２０を図８のｂ方向に回転して保護キャップ２を開いて保持し、印字動作を行う。
　【００５９】また、インクジェット記録装置の電源がｏｆｆされると、モータ２０はフリーになり、上記のように図８のバネ２７により保護キャップ２が閉じられる。
　【００６０】これらの構成により、印字データを受信しておらず待機状態にあるとき、あるいは電源がｏｆｆされているときは、保護キャップ２を閉じることができる。
　【００６１】また、印字データを受信しておらず待機状態にあるとき、装着検知スイッチによりインクカートリッジの着脱が検知された場合、及び電源ｏｎ時には、インクカートリッジ装着検知後、保護キャップ２の開動作を行うものとする。これにより保護キャップ２が閉じているときにインクカートリッジを交換した場合でも、保護キャップ２を確実に保護キャップ押さえの爪２５ｃ、ｄに係合させるためである。
　【発明の効果】以上説明したように、本発明のインクカートリッジは、インク噴出口の保護キャップをインクカートリッジから着脱することなく、スライドして開閉するように構成したのでインク噴出口の保護キャップを紛失する恐れがない。また、プリンタに装着される本発明のインクカートリッジホルダにインクカートリッジを装着する操作によって、保護キャップが開くので、プリンタヘの装着時にキャップを操作する手間が不要であるという効果を有する。
　【００６２】また、本発明のインクカートリッジを装着して印字を行う本発明のインクジェット記録装置は、保護キャップと係合して保護キャップを開閉するための駆動機構を有し、この駆動機構により、開閉可能な構成とし、インクジェット記録装置が印字データを受信しておらず一定時間以上待機状態にあるとき、あるいは電源がｏｆｆされているときは、保護キャップを閉じる構成とし、インクカートリッジの保管時のみならず、インクジェット記録装置に装着し、動作している状態においてもインクの乾燥を防ぎ、印字品質の劣化を防止することができる。
【図面の簡単な説明】
　【図１】本発明のインクカートリッジの第１の実施の形態を示す斜視図である。
　【図２】図１のインクカートリッジにおいて保護キャップが閉じた状態の保護キャップ付近の部分断面図である。
　【図３】図１のインクカートリッジを装着して印字を行うインクジェット記録装置のインクカートリッジ装着部分であるインクカートリッジホルダを示す一部拡大斜視図である。
　【図４】図１のインクカートリッジが図３のインクカートリッジホルダに装着された状態を示す斜視図である。
　【図５】本発明のインクカートリッジの第２の実施の形態を示す斜視図である。
　【図６】図５のインクカートリッジを装着して印字を行うインクジェット記録装置のインクカートリッジ装着部分であるインクカートリッジホルダの斜視図である。
　【図７】図５のインクカートリッジにおいて保護キャップが閉じた状態の保護キャップ付近の部分断面図である。
　【図８】図１のインクカートリッジを装着し、保護キャップを開閉する駆動機構を有するインクカートリッジホルダの斜視図である。
　【図９】受信した印字データの印字を完了して一定時間印字データを受信しない場合に保護キャップを閉じるインクジェット記録装置のブロック図である。
　【符号の説明】
　１　　インクカートリッジ
　２　　保護キャップ
　２ａ　レバー
　２ｂ　鋭部
　３　　インク噴出口
　４　　カバー
　５　　間隙
　６　　ラバー
　７　　溝
　８　　インクタンク
　９　　インクカートリッジホルダ
　１０　下アーム
　１１　上アーム
　１２　保護キャップ押さえ
　１２ａ，１２ｂ　爪
　１３　ブラシ
　１５　ローラ
　１５　インクカートリッジ
　１６　インクカートリッジホルダ
　２０　モータ
　２１、２２、２３　ギヤ
　２５　保護キャップ押さえ
　２６　下フレーム
　２７　バネ
　２８　インクカートリッジホルダ
　２９　装着検知スイッチ